(57)【特許請求の範囲】
【請求項１】
外郭を構成する分割式のケースの内部に、固定接触子と、ケース分割面と平行に動作する可動接触子とを収納するとともに、固定接触子と可動接触子との接触位置の近傍にアークを消弧するための永久磁石を配置した直流開閉器において、
前記永久磁石は外郭を構成するケースと一体に成形された磁石収納部に収納されており、かつこの磁石収納部は少なくとも固定接触子側とケース内部側を覆う壁部を備え、ケース開口側に永久磁石の挿入口を備えたものであることを特徴とする直流開閉器。
【請求項２】
固定接触子の先端にアークランナーが延設され、該アークランナーの先方に前記磁石収納部を配置したことを特徴とする請求項１記載の直流開閉器。
【請求項３】
前記永久磁石をケースによって両側から位置規制したことを特徴とする請求項２記載の直流開閉器。
【発明の詳細な説明】
【技術分野】
【０００１】
本発明は、接点開放時に発生するアークの消弧性を向上させた直流開閉器に関するものである。
【背景技術】
【０００２】
直流開閉器はハンドルと連動する可動接触子を固定接触子とともにケースの内部に組み込み、直流回路の開閉を行なう機器である。電流値が増加すると、接点を開いて直流電流を遮断したときに接点間にアークが発生することが避けられず、発生したアークを速やかに消弧することが、遮断能力の向上のために求められる。特に近年、太陽光発電の技術向上やバッテリーの性能向上により直流の高電圧化、高電流化が進み、直流開閉器の遮断能力の向上が強く求められている。
【０００３】
そこで従来から、可動接点と固定接点との間に永久磁石を配置してアークを引き伸ばし、アークを速やかに消滅させる技術が用いられている。しかし消弧室内に永久磁石を露出配置すると、発生したアークに曝されて次第に磁力が低下し、消弧性能が失われるという問題があった。
【０００４】
この問題を解決するために、特許文献１に示されるように消弧板に永久磁石を取付け、絶縁板で保護した構造の直流開閉器が提案されている。この構造は永久磁石が直接アークに曝されることはない利点がある。しかしその反面、絶縁板の部品が増加し、また絶縁板の取付作業が発生するため、コストアップにつながるという問題があった。
【０００５】
このほか、プラスチック部品に永久磁石を封入したものもあるが、プラスチック部品の部品点数が増加するという問題があった。また消弧室にプラスチック部品の収納スペースを確保する必要があるため、内部機器の設置スペースが削減され、遮断能力向上を図り難いという問題があった。
【先行技術文献】
【特許文献】
【０００６】
【特許文献１】特開平９−３２０３７５号公報
【発明の開示】
【発明が解決しようとする課題】
【０００７】
従って本発明の目的は上記した従来の問題点を解決し、部品点数を増加させたり消弧室に余分のスペースを設けたりすることなく接点付近に永久磁石を配置し、安定した消弧性能を確保することができる直流開閉器を提供することである。
【課題を解決するための手段】
【０００８】
上記の課題を解決するためになされた本発明の直流開閉器は、外郭を構成する分割式のケースの内部に、固定接触子と、ケース分割面と平行に動作する可動接触子とを収納するとともに、固定接触子と可動接触子との接触位置の近傍にアークを消弧するための永久磁石を配置した直流開閉器において、前記永久磁石は外郭を構成するケースと一体に成形された磁石収納部に収納されており、かつこの磁石収納部は少なくとも固定接触子側とケース内部側を覆う壁部を備え、ケース開口側に永久磁石の挿入口を備えたものであることを特徴とするものである。
【０００９】
なお、固定接触子の先端にアークランナーが延設され、該アークランナーの先方に前記磁石収納部を配置した構造とすることが好ましく、また、前記永久磁石をケースによって両側から位置規制した構造とすることが好ましい。
【発明の効果】
【００１０】
本発明の直流開閉器は、永久磁石をケースと一体に成形された磁石収納部に収納したので、永久磁石を取付ける余分のプラスチック部品は不要であり、部品点数が少なくて済む。またアークは永久磁石により消弧されることはもちろん、磁石収納部は少なくとも固定接触子側とケース内部側を覆う壁部を備えているので、永久磁石がアークに直接曝されることもないので磁力の低下がなく、消弧性能が低下することがない。しかも、固定接触子の反対側またはケース開口側に永久磁石の挿入口を備えたものであるから、永久磁石の取付作業も容易である。
【００１１】
なお、アークランナーの先方に前記磁石収納部を配置した構造とすれば、消弧性能を更に向上させることができ、永久磁石をケースによって両側から位置規制した構造とすれば、簡単な構造でありながら、永久磁石を確実に保持させることができる。
【図面の簡単な説明】
【００１２】
【図１】実施形態の直流開閉器を示す外観斜視図である。
【図２】手前側の右ケースを取り除き、内部構造を示した斜視図である。
【図３】永久磁石の挿入位置を示す斜視図である。
【図４】磁石収納部の拡大断面図である。
【図５】左ケースの斜視図である。
【図６】オン状態における内部構造の説明図である。
【図７】オフ状態における内部構造の説明図である。
【発明を実施するための形態】
【００１３】
以下に本発明の好ましい実施形態を説明する。
図１は本発明の実施形態の直流開閉器を示す外観図である。外郭を構成するケース１は樹脂製であり、幅方向に３分割された中央ケース２、右ケース３、左ケース４から構成されている。この実施形態の直流開閉器は２極の接点機構を備えたものであり、５はハンドル、６は電源側端子、７は負荷側端子である。
【００１４】
図２は図面手前側の右ケース３を取り除き、内部構造を示した斜視図である。中央ケース２はその中央隔壁の両側の内部空間にそれぞれ開閉機構部８を格納している。これらの開閉機構部８は上部のハンドル５と連動して可動接触子９をケース１の分割面と平行に動作させる。可動接触子９の先端部には可動接点１０が設けられている。可動接触子９はより線１１によって負荷側端子７に接続されている。
【００１５】
また、ケース１の電源側の端部には前記した電源側端子６と一体に固定接触子１２が配置されている。固定接触子１２はケース中心に向かう傾斜部１３に固定接点１４を備えている。傾斜部１３の先端はケース１の底面と平行に延びたアークランナー１５となっている。
【００１６】
アークランナー１５の先方には、偏平な箱状に形成された磁石収納部１６が配置されている。図３に示すように、磁石収納部１６は中央ケース２の底部に一体成形されたものであり、固定接触子１２の側とケース内部側を覆う壁部１７を備えている。そして図３の手前側のケース開口側には、永久磁石１９の挿入口１８が形成されている。磁石収納部１６は中央ケース２の底部と平行に形成されているので、アークガスの噴射を妨げない。また磁石収納部１６はアークが接触する固定接触子１２の側とケース内部側を壁部１７により覆われた構造であるので、永久磁石１９がアークと直接接触することを防止することができる。このため永久磁石１９が磁力低下することがなく、遮断性能を維持することができる。
【００１７】
図３のように中央ケース２に形成された磁石収納部１６に永久磁石１９を挿入したうえで右ケース３と左ケース４をその両側に取付ければ、図４の要部断面図に示すように永久磁石１９は右ケース３と左ケース４とによって両側から位置規制され、外れることはない。このような構造は、ケース１を成形するための金型構造を簡素化するうえでも有利である。なお図５に右ケースを示す。２０が磁石収納部１６の側面を押える部位である。また図６にオン状態における内部構造、図７にオフ状態における内部構造を示す。
【００１８】
永久磁石１９の磁極を可動接点１０の移動経路に向けて設置すれば、磁力によりアークガスを湾曲させて、確実に消弧させることができる。永久磁石１９の表面は樹脂製の壁部１７により覆われており、磁力に影響が生じないことはいうまでもない。
【００１９】
なお、可動接点１０と固定接点１４の延長線上は箱状に形成された磁石収納部１６によって覆われ、延長線上にケースどうしの合わせ面が位置しないように構成してある。また、磁石収納部１６の下面はケース底面と兼用されているので、スペース的に有効である。
【００２０】
上記した実施形態では過電流遮断機能のない直流開閉器を示したが、過電流により可動接触子９をトリップさせて回路を遮断するブレーカ機能を持たせてもよい。
【００２１】
また上記した実施形態では２極の開閉機構を中央ケース２、右ケース３、左ケース４から構成される３分割式のケース１の内部に格納したが、本発明は左右２枚のケースからなる２分割式のものにも適用することができる。
【符号の説明】
【００２２】
１  ケース
２  中央ケース
３  右ケース
４  左ケース
５  ハンドル
６  電源側端子
７  負荷側端子
８  開閉機構部
９  可動接触子
１０  可動接点
１１  より線
１２  固定接触子
１３  傾斜部
１４  固定接点
１５  アークランナー
１６  磁石収納部
１７  壁部
１８  挿入口
１９  永久磁石
２０  磁石収納部の側面を押える部位
【図１】
0006019421.tif 000002
【図２】
0006019421.tif 000003
【図３】
0006019421.tif 000004
【図４】
0006019421.tif 000005
【図５】
0006019421.tif 000006
【図６】
0006019421.tif 000007
【図７】
0006019421.tif 000008